(57)【要約】【課題】コンピュータ画面のウインドウに表示されているデータという限定だけで、対象をあらかじめ定めたものではなく任意に指定して転送することができるようにすることと、利用者がデータの詳細な記憶場所などを意識することなく転送できることで利便性を実現する。【解決手段】データ転送の送信側もしくは受信側のどちらかの画面から相手側の画面へ、直接的な指示装置としてペン型インターフェース装置を使用して転送する。本発明によって、相手コンピュータの画面でペン型インターフェース装置を用いてウインドウをクリックすると、自コンピュータの画面にそのウインドウが転送される。また本発明では、自コンピュータから相手コンピュータへの転送を可能にしており、また、接続が切れた状態でペン型インターフェース装置に内蔵されたフラッシュメモリに情報を蓄えることによるオフライン転送を可能にしている。これにより利用者は、転送操作を視覚的に実現し、手でものをつかむのと同様な現実感をともなって転送をおこなうことができる。【選択図】図７
2010113696.tif 000002
【特許請求の範囲】
【請求項１】
特定の記憶装置に保存されているデータを表示しているコンピュータのディスプレイ画面およびその一部に表示された転送用アイコンと、当該データを受け取るコンピュータに接続されたペン型インターフェース装置において、ペン型インターフェース装置を該転送用アイコンに近づけかつ該ペン型インターフェースに付属するボタン等のクリック動作をタイミングとして該転送用アイコンおよびそのデータ諸元を光学的に読み取り、該受け取るコンピュータへ当該データもしくはその諸元が転送されることを特徴とする転送インターフェース。
【請求項２】
特定の記憶装置に保存されているデータを表示しているコンピュータのディスプレイ画面とそのコンピュータに接続されているペン型インターフェース装置において、当該データを受け取るコンピュータのディスプレイ画面で表示されている転送用アイコンに該ペン型インターフェース装置を近づけかつ該ペン型インターフェースに付属するボタン等のクリック動作をタイミングとして該転送用アイコンおよび当該データもしくは受け取り場所などの諸元を転送されることを特徴とする転送インターフェース。
【請求項３】
特定の記憶装置に保存されているデータを表示しているコンピュータのディスプレイ画面およびその一部に表示された転送用アイコンと、フラッシュメモリを内蔵したペン型インターフェース装置において、ペン型インターフェース装置を該転送用アイコンに近づけかつ該ペン型インターフェースに付属するボタン等のクリック動作をタイミングとして該転送用アイコンおよびそのデータ諸元を光学的に読み取り、当該データをフラッシュメモリに蓄積した後、当該データを受け取るコンピュータのディスプレイ画面で表示されている転送用アイコンに該ペン型インターフェース装置を近づけかつ該ペン型インターフェースに付属するボタン等のクリック動作をタイミングとして当該データもしくは受け取り場所などの諸元を転送されることを特徴とする転送インターフェース。
【請求項４】
請求項１〜３の転送インターフェースを利用して、データ転送をした時に、データを表示していたコンピュータの画面から、当該データを受け取るコンピュータの画面へ、画面間で同じ内容で同じ形状のウインドウがコピーされるような転送が行われた効果を特徴とする転送方法。
【請求項５】
請求項１〜３のインターフェースで用い、光学読み取りセンサーによってディスプレイ画面の転送用アイコンおよびバーコード等の読み取りが可能であり、具備するＵＳＢ、ＢｌｕｅＴｏｏｔｈ、無線ＬＡＮなどの通信によってデータを接続するコンピュータに転送が可能であり、クリックのためのボタン等を具備し、コンピュータに備えられたＲＦＩＤ読み取り装置によって認識されるＲＦＩＤを具備し、単独でも使用する場合のためのメモリを具備するペン型インターフェース装置。
【請求項６】
請求項１〜３のインターフェースで用いる送信側ウインドウと受信側ウインドウにおいて、データ転送に付随して当該データの書き込みなどの権限を移動することを特徴とする転送方式
【請求項７】
請求項６の送信側ウインドウと受信側ウインドウにおいて、書き込みなどのデータに対する権限をウインドウもしくはアイコンの形状もしくは色で表現することを特徴とする表示方式。
【発明の詳細な説明】
【産業上の利用分野】
【０００１】本発明は、２つのコンピュータ間でデータを転送する際に、簡便で迅速な手段を必要とする分野で利用される。その一つとして、医療の検査・観察・処置などにおいて、患者データはじめ、各種データを持ち回る利用がある。
【背景技術】
【０００２】従来では、データの転送に際して、バーコードや記録媒体などもしくは、ＬＡＮ上の共有ファイルやデータベースを指示して、専用プログラムや転送プログラムの起動をする必要があり、ポータブルなものや汎用性のあるものではなかった。特に、医療では時間的余裕がないために、操作を簡便におこなうことができる必要があるが、本人確認や重複記入などを防ぐ必要があるためには実現が困難であった。【０００３】このようなデータ共有およびその書き換え権限の管理には、データベース管理ソフトウエアを用いて、大量のデータを集中的に管理し、ネットワーク接続された表示端末でデータを操作する画面を用いることが一般的であった。その際に、必要となるデータの特定方法は、ＩＤカードなどの読み取り装置もしくは利用者のログイン識別プログラムなどを当該端末で利用可能にしておいて、その読み取りをタイミングとして当該端末で操作することができるようにしていた。この場合には、権限管理やデータ管理について、どのような操作ができるようにするか専用のプログラムによってあらかじめ定めておいたものを利用しなければならず、システムが大規模になり易く、また、その実現コストも高額になりがちであった。【０００４】転送に際しては、電子辞書の内容を携帯電話に転送する（特許文献１を参照）ものがあり、入力方法も２次元コードを使うものであるが、携帯電話を想定したものである。また、ペン型入力装置としては、「デジタルペン」による特殊紙に記入された内容を読み取るものがある（特許文献２および非特許文献１参照）。
【特許文献１】特開２００６−１１９８１４号公報
【特許文献２】特開２００５−３０９５５６号公報
【非特許文献１】日立製作所「デジタルペン」（ただし、スエーデン・アノト社の技術導入）ＵＲＬ：ｈｔｔｐ：／／ｗｗｗ．ｈｉｔａｃｈｉ．ｃｏ．ｊｐ／Ｄｉｖ／ｊｋｋ／ｓｏｌｕｔｉｏｎ／ｔｅｇａｋｉ／ｅｌｅｍｅｎｔ．ｈｔｍｌ
【発明の開示】
【発明が解決しようとする課題】
【０００５】本発明は、コンピュータ画面のウインドウに表示されているデータという限定だけで、対象をあらかじめ定めたものではなく任意に指定して転送することができるようにすることと、利用者がデータの詳細な記憶場所などを意識することなく転送できることで利便性を実現することである。
【課題を解決するための手段】
【０００６】本発明は、コンピュータ画面もしくはその中のウインドウのアイコンに対して、あらかじめプログラムなどで定めることなくデータを特定するという汎用性の高い方法を実現することで解決したものである。このために、データ転送の送信側もしくは受信側のどちらかの画面から相手側の画面へ直接的な指示装置としてペン型インターフェース装置を使用する。このような指示装置としては、従来のマウスやタッチパネルなど、その装置自身が接続されたコンピュータ（以下、自コンピュータという）におけるポインティングデバイスは存在しているが、本発明のペン型インターフェース装置のように任意の転送対象のコンピュータの画面で指示可能な装置は存在していなかった。本発明のペン型インターフェースは、図１に示すように、光学読み取りのためのセンサー（またはカメラ）で対象となるアイコンおよびバーコードなどのデータを読み取ることができ、自コンピュータの転送相手のコンピュータ（以下、相手コンピュータという）においてはＲＦＩＤによって画面に近付いていることが認識され、また、ＢｌｕｅＴｏｏｔｈもしくは無線ＵＳＢや無線ＬＡＮによってポインティング情報を相手コンピュータに伝えることができる。さらに、自コンピュータには、当初から従来型のデバイスとして接続したものである。このためには、コンピュータディスプレイにおいて、ＲＦＩＤを検出するしくみを備えていることと、コンピュータの基本プログラム（ＯＳ）として、プラグアンドプレイを拡張して一時的なポインティングデバイスを動作可能にしている。【０００７】本発明によって、相手コンピュータの画面でペン型インターフェース装置を用いてウインドウをクリックすると、自コンピュータの画面にそのウインドウが転送される。本発明では、このほかに、自コンピュータから相手コンピュータへの転送を可能にしていることと、接続が切れた状態でペン型インターフェース装置のフラッシュメモリに情報を蓄えることによるオフライン転送を可能にしている。
【発明の効果】
【０００８】利用者は、本発明を使用することにより、転送操作を視覚的に実現し、手でものをつかむのと同様にデータを転送する現実感を得ることができる。これにより、データ転送においてかかる時間のうち、利用者が対象のデータを認知して転送先にデータを運ぶ方法を考察する時間（以下、考察時間という）を、きわめて短いものとすることができる。従来のデータ転送において、この時間内訳は、データ容量の多くないものについて、考察時間が多くの部分を占めていることがあきらかである。したがって、医療における患者データなどを一つずつ転送する場合においては、データ容量が少なく、転送の手間がかかっていたため、本発明を使用することでシステムを操作する時間を短くすることができる。
【発明を実施するための最良の形態】
【０００９】以下、本発明を、添付図面を参照しつつその実施例及び従来技術との対比により詳細に説明する。【００１０】図２に示すような送信用アイコンを標準的なウインドウの操作用アイコンとして、ウインドウに具備すると、図３の例のようにデータを表示するウインドウで送信する操作が可能なことを示すことができる。現在普及されているウインドウインターフェースでは、ウインドウタイトル部分の右端にあるアイコンは、共通的なウインドウ操作を示しており、操作可能な内容を示している。これに、本発明の転送操作が可能であることを示す図２のアイコンを追加して示すことで、転送操作が可能なことを利用者が見てわかることになる。【００１１】図４では、実際のデータをワンタッチで転送操作した時の、処理の流れを示している。この例の場合は、相手コンピュータから自コンピュータへデータを転送する、プル型の転送の場合であり、データのＵＲＩとウインドウ情報を転送することで、自コンピュータでは相手コンピュータで表示されたウインドウと同じ形状・同じ内容のものが表示されることになる。このウインドウ情報としては、形状だけでなく、表示に伴って起動されるプロセス（プログラム）の種類も含むことができる。【００１２】図５では、自コンピュータから相手コンピュータへデータを転送する、プッシュ型の転送の場合の処理の流れを示しており、転送対象は図４と同様にデータのＵＲＩとウインドウ情報であり、相手コンピュータでは自コンピュータで表示されたウインドウと同じ形状・同じ内容のものが表示されることになる。
図６では、本発明のペン型インターフェース装置に内蔵するフラッシュメモリに相手コンピュータからデータを蓄え、自コンピュータにオフラインで転送する場合の処理の流れを示している。転送対象は、これまでと同様にＵＲＩとウインドウである場合のほか、データ内容をフラッシュメモリの中に記録して使用するも可能である。【００１３】図７では、実際のデータ転送から表示プロセスの起動にいたるまでのバックグラウンド処理を示している。相手コンピュータにおいても最初はデータの記憶場所からデータを取り出し（ステップ１）、それを表示している（ステップ２）。そのウインドウには送信アイコンが表示されており、それをクリックして（ステップ３）、自コンピュータへＵＲＩとウインドウ情報を転送する（ステップ４）。自コンピュータは、ＵＲＩによってデータの記憶場所からデータを取り出し（ステップ５）、それを表示する（ステップ６）。【００１４】医療データにおいては、患者取り違えや検査内容・投薬内容の重複・誤りを防がなくてはならず、データの取扱者・データ対象者・データ内容のいずれに対しても、厳重な取り扱いが必要である。一方で、これらの厳しい取扱いを従来技術で実現するには、専用プログラムもしくは手間のかかる手段で取り扱わなくてはならなかった。医療の現状では可能な限り時間を有効利用して、医療従事者および患者の環境を改善する必要があるにもかかわらず、電子カルテなどでこれらの問題を解決するものは存在しなかった。本発明によれば、図８に示すように、画面で形状もしくは色分けによって、データ取扱いの権限や対象データの整合性を示すことで、本発明の特徴である簡便な操作によっても厳重なデータの取り扱いが可能になる。【００１５】本実施例では、データ取扱の権限とデータ転送とは、常に一体化しておこなうことで、わかりやすい管理が可能になっている。それは、
（１）データ書き込み・読み取り権限を持つ場合には、実線（太い）ウインドウ形状もしくは青のウインドウ色になっており、送信用アイコンがウインドウのタイトル部分右端に現われている。データを転送した後は、一点破線ウインドウ形状もしくは緑のウインドウ色に変わっており、ウインドウタイトル部分右端には受信アイコンが現れている。
（２）データ権限の設定のない場合には、実線（通常の太さ）ウインドウ形状もしくは黒のウインドウ色になっており、送信用アイコン、受信用アイコンがタイトル部分右端に現われている。データを転送した後もウインドウ形状もしくはウインドウ色に変更はない。
（３）データ取扱権限のない場合には、ウインドウ色は灰色であり、送信用アイコンおよび受信用アイコンは現れない。【００１６】上記（１）の場合には、バックグラウンド処理で権限の委譲が同時に行われている。
【発明の効果】
【００１７】本発明によれば、コンピュータ画面のウインドウに表示されているデータという限定だけで、対象をあらかじめ定めたものではなく任意に指定して転送することができ、利用者がデータの詳細な記憶場所などを意識することなく転送できる。
【図面の簡単な説明】
【００１８】
【図１】ペン型インターフェース装置の構造を示す説明図である。
【図２】送信側転送用アイコンと受信側転送用アイコンの例
【図３】送信側転送用アイコンを具備したウインドウの例
【図４】相手コンピュータの画面から自コンピュータの画面までデータが転送されるまでの概略フローチャート
【図５】自コンピュータの画面から相手コンピュータの画面までデータが転送されるまでの概略フローチャート
【図６】相手コンピュータの画面から自コンピュータの画面までオフラインでデータが転送されるまでの概略フローチャート
【図７】相手コンピュータの画面から自コンピュータの画面までデータが転送されるまでのバックグラウンド処理を含めたイメージ
【図８】データ取扱権限とウインドウ形状・色の対応例
【図１】
2010113696.tif 000003
【図２】
2010113696.tif 000004
【図３】
2010113696.tif 000005
【図４】
2010113696.tif 000006
【図５】
2010113696.tif 000007
【図６】
2010113696.tif 000008
【図７】
2010113696.tif 000009
【図８】
2010113696.tif 000010